(57)【特許請求の範囲】
【請求項１】
第一蓋で閉塞される上部開口と、下部開口を備えた水槽に添接される本管と、
この本管の上部に接続される接続部を一端に、また、第一下部開口を他端に備えた第一吸込み管と、
また、この本管の下部に接続される接続部を一端に、また、第二下部開口を他端に備え、かつこの第二下部開口とこの接続部と連設し、前記第一吸込み管の接続部の高さに到る倒Ｕ字管部を備えた第二吸込み管と、
この第一吸込み管及び第二吸込み管が挿入され上部開口を一端に備え、及びこの第一吸込み管及び第二吸込み管の第一・第二下部開口を受け入れる部屋を備え、並びに第二蓋で閉塞される下部開口を他方に備えた前記水槽内に設けられる水位調整管と、
前記第一吸込み管及び第二吸込み管の第一・第二下部開口は、前記水位調整管の下部開口に設けた前記第二蓋の内底の上方に位置する構成とした水槽用のオーバーフロー装置。
【請求項２】
請求項１に記載の水槽用のオーバーフロー装置であって、
前記第二吸込み管の倒Ｕ字管部と、前記本管の下部に接続される接続部の間に、封水部として機能するＵ字管部を設ける構成とした水槽用のオーバーフロー装置。
【請求項３】
第一蓋で閉塞される上部開口と、下部開口を備えた水槽に添接される本管と、
この本管の上部に接続される接続部を一端に、また、第一下部開口を他端に備えた第一吸込み管と、
また、この本管の下部に接続される接続部を一端に、また、第二下部開口を他端に備え、かつこの第二下部開口とこの接続部と連設し、前記第一吸込み管の接続部の高さに到る倒Ｕ字管部を備えた第二吸込み管と、
この第一吸込み管と、この第二吸込み管が差込まれる上蓋、及びこの上蓋に設けた一個又は複数個の開口、並びに下部に設けた一個又は複数個の開口を有する中間挾持管と、
この中間挾持管の下部開口を閉塞する第三蓋と、
前記中間挾持管に絞り部が遊嵌され、かつ上部開口を備えた水位調整管と、
前記第一吸込み管及び第二吸込み管の第一・第二下部開口は、前記中間挾持管に開口し、
また、前記本管と前記第二吸込み管を閉塞状態に維持する連結管を設け、この本管の排水開口を当該連結管の空間上部に開設し、この第二吸込み管の排水開口をこの連結管の空間下部に開設し、さらに、この第二吸込み管の下端の第三下部開口を閉塞する第四蓋を設け、また、この本管の排水開口と、前記第一吸込み管の第一下部開口が同じ水平レベルに、また、前記第二吸込み管の排水開口と、この第二吸込み管の第二下部開口が同じ水平レベルとする構成とした水槽用のオーバーフロー装置。
【請求項４】
請求項１、又は請求項２に記載の水槽用のオーバーフロー装置であって、
前記水位調整管を、水槽の上下方向に上下動可能に設ける構成とした水槽用のオーバーフロー装置。
【発明の詳細な説明】
【技術分野】
【０００１】
本発明は、水槽の壁面に架承できる水槽用のオーバーフロー装置に関する。
【背景技術】
【０００２】
水槽用のサイフォン式オーバーフロー装置として、本出願人は、特開２００７−２３６３１５の「サイフォン式オーバーフロー装置」を提案している（文献（１）とする）。この発明は、魚類及び／又は石、砂、飼育（生育）用の植物（藻）を取出すことなく、水槽内の水を交換できるオーバーフロー装置の改良であって、例えば、騒音が少なく、かつ水槽内の水位の細かな調整をすることができる構造を提案するものであり、その要旨は、第一管と、この第一管に内設した第二管とでなる水槽に架承できるＵ字型二重管（倒Ｕ型二重管）と、この第一管に連設した給水管と、前記第二管に連設した垂下管とで構成し、この垂下管の一端部に蜂の巣状の分離通路を形成した構成である。この発明は、第一管内に、第二管を内設する構造であるので、流れる水量が少なく、大型の水槽で、時により、交換に時間を要する問題があった。勿論、この水量に関する改良点は、既に、他の出願を介して、解消している。
【０００３】
その他の文献としては、特開平６−７０６６１号の「魚貝類の飼育水槽」がある（文献（２）とする）。この発明は、残餌、糞等の塵をサイフォン排水によって間欠的に排出し、この塵が底部に堆積しにくくするとともに、水槽の掃除の簡略化と、飼育環境の確保を図ること、又はランニングコストの低価格化を図ること等を意図し、次のような構成を採用する。その要旨は、飼育水槽の底部に、鉛直方向の水流を起こさせるエアーレーション管を配置し、このエアーレーション管に沿って溝部を形成し、この溝部に吸込管の一端を接続するとともに、その他端側を、サイフォンブレーカーの端部と機械真空引き管の端部とに通じるサイフォン排水管に接続し、サイフォンブレーカーの他端部を、飼育水槽内に配置し、前記サイフォン排水管を、排水調整槽に設けた構成である。
【０００４】
【特許文献１】特開２００７−２３６３１５
【特許文献２】特開平６−７０６６１号
【発明の開示】
【発明が解決しようとする課題】
【０００５】
文献（１）は、Ｕ字型二重管の形状を利用して水槽の壁面に係止可能とし、またＵ字型二重管（二重配管方式）を採用して、装置の小型化、又は経済性を確保できる特徴がある。しかし、この発明は、二重管構造であるので、水量が不足、交換等に関する改良点と、また管内の詰りの問題が発生する可能性がある。この二重管構造のもたらす課題の一部は、前述した如く、他の出願を介して、解消している。
【０００６】
また文献（２）は、水槽に、サイフォンブレーカーと、エアーレーション管、並びにサイフォン排水管等を配備する構造であり、交換水量の問題と、水質及び／又は空気の混入量の確保等の問題を解消している。しかし、この発明は、サイフォンブレーカーと、エアーレーション管等を配備する構造であり、装置の大型化及び／又はランニングコストの上昇を招来することと、小型で、一般家庭用のサイフォンによるオーバーフロー装置には、不向きと考えられる。
【０００７】
上記に鑑み、本発明は、交換水量の不足の事態を解消し、また、汚水の交換及び／又は異物の排出等を迅速に行えるようにすること、又は構造の簡略化を図ることで、小型化を達成するここと、一般家庭を始めとして、店頭用としての利用が図れる簡易型のサイフォン式のオーバーフロー装置を提供すること等を意図する。そして、また、本管と、第一・第二吸込み管の接続箇所を、分離し（切離し）、この本管に流れる水のスムーズな流れと、適量な水の誘引を確保すること等を意図する。さらに、透明な管材を、適所に採用し、この各管内を流れる水及び／又は水中の異物の流れを確認できる構造とし、メンテナンスの簡便なサイフォン式のオーバーフロー装置の提供を意図する。また、第一・第二吸込み管を水位調整管で囲繞かつ係止する構造を採用し、水位に対応できるサイフォン式のオーバーフロー装置の提供を意図する。
【課題を解決するための手段】
【０００８】
請求項１の発明は、交換水量の不足の事態を解消し、また、汚水の交換及び／又は異物の排出等を迅速に行えるようにすること、又は構造の簡略化を図ることで、小型化を達成すること、一般家庭を始めとして、店頭用としても利用する簡易型のサイフォン式のオーバーフロー装置を提供すること等を意図する。そして、また、請求項１は、本管と、第一・第二吸込み管の接続箇所を、分離し、この本管に流れる水のスムーズな流れと、適量な水の誘引を確保すること等を意図する。さらに、請求項１の発明は、第一・第二吸込み管を水位調整管で囲繞かつ係止する構造を採用し、水位に対応できるサイフォン式のオーバーフロー装置の提供を意図する。
【０００９】
請求項１は、第一蓋で閉塞される上部開口と、下部開口を備えた水槽に添接される本管と、
この本管の上部に接続される接続部を一端に、また、第一下部開口を他端に備えた第一吸込み管と、
また、この本管の下部に接続される接続部を一端に、また、第二下部開口を他端に備え、かつこの第二下部開口とこの接続部と連設し、前記第一吸込み管の接続部の高さに到る倒Ｕ字管部を備えた第二吸込み管と、
この第一吸込み管及び第二吸込み管が挿入され上部開口を一端に備え、及びこの第一吸込み管及び第二吸込み管の第一・第二下部開口を受け入れる部屋を備え、並びに第二蓋で閉塞される下部開口を他方に備えた前記水槽内に設けられる水位調整管と、
前記第一吸込み管及び第二吸込み管の第一・第二下部開口は、前記水位調整管の下部開口に設けた前記第二蓋の内底の上方に位置する構成とした水槽用のオーバーフロー装置である。
【００１０】
請求項２の発明は、請求項１の目的を達成すること、この目的を達成するのに最適な第二吸込み管の封水部の構造を提供することを意図する。
【００１１】
請求項２は、請求項１に記載の水槽用のオーバーフロー装置であって、
前記第二吸込み管の倒Ｕ字管部と、前記本管の下部に接続される接続部の間に、封水部として機能するＵ字管部を設ける構成とした水槽用のオーバーフロー装置である。
【００１２】
請求項３の発明は、請求項１と同じ目的を達成すること、この目的を達成するのに最適な第一・第二吸込み管を、中間挾持管で囲繞し、この中間挾持管の開口で、水槽からのスムーズな水の吸込を確保すること、また、水の吸込みによる騒音発生を回避すること、更にはこの目的を達成するのに最適な第一・第二吸込み管と、中間挾持管でなる吸込みルートを確保することを意図する。
【００１３】
請求項３は、第一蓋で閉塞される上部開口と、下部開口を備えた水槽に添接される本管と、
この本管の上部に接続される接続部を一端に、また、第一下部開口を他端に備えた第一吸込み管と、
また、この本管の下部に接続される接続部を一端に、また、第二下部開口を他端に備え、かつこの第二下部開口とこの接続部と連設し、前記第一吸込み管の接続部の高さに到る倒Ｕ字管部を備えた第二吸込み管と、
この第一吸込み管と、この第二吸込み管が差込まれる上蓋、及びこの上蓋に設けた一個又は複数個の開口、並びに下部に設けた一個又は複数個の開口を有する中間挾持管と、
この中間挾持管の下部開口を閉塞する第三蓋と、
前記中間挾持管に絞り部が遊嵌され、かつ上部開口を備えた水位調整管と、
前記第一吸込み管及び第二吸込み管の第一・第二下部開口は、前記中間挾持管に開口し、
また、前記本管と前記第二吸込み管を閉塞状態に維持する連結管を設け、この本管の排水開口を当該連結管の空間上部に開設し、この第二吸込み管の排水開口をこの連結管の空間下部に開設し、さらに、この第二吸込み管の下端の第三下部開口を閉塞する第四蓋を設け、また、この本管の排水開口と、前記第一吸込み管の第一下部開口が同じ水平レベルに、また、前記第二吸込み管の排水開口と、この第二吸込み管の第二下部開口が同じ水平レベルとする構成とした水槽用のオーバーフロー装置である。
【００１４】
【００１５】
【００１６】
請求項４の発明は、請求項１の目的を達成すること、この目的を達成するのに最適な水位調整管を提供することを意図する。
【００１７】
請求項４は、請求項１に記載の水槽用のオーバーフロー装置であって、
前記水位調整管を、水槽の上下方向に上下動可能に設ける構成とした水槽用のオーバーフロー装置。
【発明の効果】
【００１８】
請求項１の発明は、閉塞できる上部開口と、下部開口を備えた本管と、
本管の上部に接続される接続部、また、第一下部開口を他端に備えた第一吸込み管と、
また、本管の下部に接続される接続部を、また、第二下部開口を他端に備え、かつ第一吸込み管の接続部の高さに到る倒Ｕ字管部を備えた第二吸込み管と、
第一吸込み管及び第二吸込み管が挿入され上部開口を一端に備え、及び第一吸込み管及び第二吸込み管の第一・第二下部開口を受け入れる部屋を備え、並びに第二蓋で閉塞される下部開口を他方に備えた水槽内に設けられる水位調整管と、
第一吸込み管及び第二吸込み管の第一・第二下部開口は、水位調整管の下部開口に設けた第二蓋の内底の上方に位置する構成とした水槽用のオーバーフロー装置である。
【００１９】
従って、請求項１は、交換水量の不足の事態を解消し、また、汚水の交換及び／又は異物の排出等を迅速に行えること、又は構造の簡略化が図れることで、小型化を達成できること、一般家庭を始めとして、店頭用としての利用が図れる簡易型のサイフォン式のオーバーフロー装置を提供できること等の特徴がある。そして、また、請求項１は、本管と、第一・第二吸込み管の接続箇所を、分離し、この本管に流れる水のスムーズな流れと、適量な水の誘引を確保できること等の実益を有する。さらに、請求項１は、第一・第二吸込み管を水位調整管で囲繞かつ係止する構造を採用し、水位に対応できるサイフォン式のオーバーフロー装置の提供できる。
【００２０】
請求項２の発明は、請求項１に記載の水槽用のオーバーフロー装置であって、
第二吸込み管の倒Ｕ字管部と、本管の下部に接続される接続部の間に、封水部として機能するＵ字管部を設ける構成とした水槽用のオーバーフロー装置である。
【００２１】
従って、請求項２は、請求項１と同じ目的を達成できること、この目的を達成するのに最適な第二吸込み管の封水部の構造を提供できること等の特徴を有する。
【００２２】
請求項３の発明は、第一蓋で閉塞される上部開口と、下部開口を備えた水槽に添接される本管と、
本管の上部に接続される接続部を一端に、また、第一下部開口を他端に備えた第一吸込み管と、
また、本管の下部に接続される接続部を一端に、また、第二下部開口を他端に備え、かつ第二下部開口とこの接続部と連設し、第一吸込み管の接続部の高さに到る倒Ｕ字管部を備えた第二吸込み管と、
第一吸込み管と、第二吸込み管が差込まれる上蓋、及び上蓋に設けた一個又は複数個の開口、並びに下部に設けた一個又は複数個の開口を有する中間挾持管と、
中間挾持管の下部開口を閉塞する第三蓋と、
中間挾持管に絞り部が遊嵌され、かつ上部開口を備えた水位調整管と、
第一吸込み管及び第二吸込み管の第一・第二下部開口は、前記中間挾持管に開口し、
また、本管と前記第二吸込み管を閉塞状態に維持する連結管を設け、本管の排水開口を当該連結管の空間上部に開設し、第二吸込み管の排水開口をこの連結管の空間下部に開設し、さらに、第二吸込み管の下端の第三下部開口を閉塞する第四蓋を設け、また、本管の排水開口と、第一吸込み管の第一下部開口が同じ水平レベルに、また、第二吸込み管の排水開口と、第二吸込み管の第二下部開口が同じ水平レベルとする構成とした水槽用のオーバーフロー装置である。
【００２３】
従って、請求項３は、請求項１と同じ目的を達成できること、この目的を達成するのに最適な第一・第二吸込み管を、中間挾持管で囲繞し、この中間挾持管の開口で、水槽からのスムーズな水の吸込を確保できること、また、水の吸込みによる騒音発生を回避できること、この目的を達成するのに最適な第一・第二吸込み管と、中間挾持管でなる吸込みルートを確保すること等の特徴を有する。
【００２４】
【００２５】
【００２６】
請求項４の発明は、請求項１に記載の水槽用のオーバーフロー装置であって、
水位調整管を、水槽の上下方向に上下動可能に設ける構成とした水槽用のオーバーフロー装置である。
【００２７】
従って、請求項４は、請求項１の目的を達成できること、この目的を達成するのに最適な水位調整管を提供できること等の特徴を有する。
【発明を実施するための最良の形態】
【００２８】
本発明の一例を説明する。
【００２９】
図面の説明をすると、図１は水位調整管に、第一・第二吸込み管が設けられた第一実施例を示した一部欠截の俯瞰斜視図、図２は第一実施例に汚水吸込み管を配備した第二実施例を示した一部欠截の俯瞰斜視図である。図３は呼水を供給するポンプの一例を示した俯瞰斜視図、図４は水位調整管と、中間挾持管に、第一・第二吸込み管が設けられた第三実施例を示した一部欠截の俯瞰斜視図である。
【００３０】
第一実施例を説明すると、１は本管で、この本管１は、第一蓋２で閉塞される上部開口１００と、下部開口１０１を有する。この本管１の上下部１ａ、１ｂに接続部１０２、１０３を備えており、この接続部１０２、１０３には、第一吸込み管３（第一サイフォン管）の上部（一端）に設けた接続部３００（エルボ）と、第二吸込み管４（第二サイフォン管）の上部（一端）に設けた接続部４００（エルボ）がそれぞれ接続される。そして、この第一吸込み管３は、第一吸込み管３の一端に設けた接続部３００より垂下した垂下管３０１と、この垂下管３０１の下端（他端）の第一下部開口３０２で構成し、また、この第一下部開口３０２は、前記接続部３００より下位に位置する。また、第二吸込み管４は、第二吸込み管４の一端に設けた接続部４００より垂下した封水部４０１として機能するＵ字管部４０２と、このＵ字管部４０２より立ち上った立上管４０３ａ、及びエルボ４０３ｂ、並びにエルボ４０３ｃ、及びこのエルボ４０３ｃより垂下した垂下管４０３ｄで構成した倒Ｕ字管部４０３と、この垂下管４０３ｄの下端（他端）は、第二下部開口４０４で構成し、また、この第二下部開口４０４は、前記接続部４００より下位に位置する。尚、この第一吸込み管３の垂下管３０１と、第二吸込み管４の垂下管４０３ｄの外周には、間隔をおいて水位調整管６が係止され、かつ上下方向（Ｘ方向）に移動可能に設けられている。この係止は、図示しないが、挾持手段、バンド、又はフック等を使用する。この水位調整管６は、上下部に、上下開口６００と、６０１を有する筒体であり、この上部開口６００には、前記第一吸込み管３の垂下管３０１と、第二吸込み管４の垂下管４０３ｄが挿入され、また、部屋６０２には、第一吸込み管３の下部開口３０２と、第二吸込み管４の下部開口４０４が開口されている。そして、この水位調整管６の下部開口６０１は、第二蓋６０３で閉塞される。
【００３１】
この第一実施例では、気密状態の第一吸込み管３の接続部３００の近傍と、第二吸込み管４のエルボ４０３ｂ、４０３ｃを水槽Ａの壁Ａ１に架承して使用し、この状態で、第一吸込み管３の垂下管３０１と、気密状態の第二吸込み管４の垂下管４０３ｄが水中に至り、水位調整管６の上部開口６００が水面に開口する構造である。また、本管１と、立上管４０３ａと、Ｕ字管部４０２が、水槽Ａ外にある。
【００３２】
そして、水位調整管６のオーバーフロー水は、上部開口６００より、水位調整管６の底部へ落水することで、この水位調整管６内の水位は上昇する。水位落差により、第二吸込み管４は本管１を介して、水槽Ａから槽外に流れる。つまり、下部開口１０１から図示しない予備水槽等へと排水を開始する。この時点では、第一吸込み管３より空気を取り込む不完全な落水であるが、直ぐに、水位調整管６管内の水位が第一下部開口３０２のレベルに達することで、第一下部開口３０２が封水される。従って、この第二吸込み管４の水位落差が、下部開口１０１までとなり落水量が飛躍的に増え、かつその流速が増し、流速が速くなり、接続部１０３は負の圧力が生じ、第一吸込み管３の空気を吸引する。そして、この第一吸込み管３の空気が抜けた時点で、サイフォンが開始され二つのサイフォン（第一吸込み管３と、第二吸込み管４によるサイフォン効果）で順調な排水となり予めバルブ９により調整された第一下部開口３０２と上部開口６００の水平レベル範囲において、この水位調整管６管内の水位は、落ち着くことにより、第一下部開口３０２、及び第二下部開口４０４は水没位置にあるので、空気の吸込みが無くなり、吸込み音が皆無となり快適なオーバーフローサイフォンとなる。
【００３３】
次に、第二吸込み管４への呼水の方法について説明する。図３は灯油を汲む際に、一般に良く使われているポンプ７である。ポンプ本体７００を握ると、ポンプ本体７００より垂下した給水又は排気用の管７０１と、この管７０１に設けたホース７０２から吐出し、放すと、管７０１内に吸い込むタイプの構造であり、このポンプ７のホース７０２、管７０１のそれぞれの先端に本管１へ気密に挿入可能な先端アダプター７０４、７０５を取り付けている。従って、ポンプ７を使って、第二吸込み管４の空気を吸い出す方法と、水を注水する方法がある、どちらもバルブ９を閉じて行い、前記の水を注水する方法では、第一蓋２を外し、先端アダプター７０４を上部開口１００より、本管１へ気密に挿入し、先端アダプター７０５を水槽Ａに沈めポンプ７の操作で、第二吸込み管４内の空気を注水によって追い出すことが簡単にできる。また、バルブ９の操作ができない場合、又は省略されているときは、揚水ポンプ（図示せず）を駆動させ、第一蓋２を外し、先端アダプター７０４を本管１へ気密に挿入し、先端アダプター７０５を水槽Ａに沈めてポンプ７の操作で本管１、下部開口１０１に注水すると、接続部１０３は負の圧力が生じ第二吸込み管４の空気を吸引し第二吸込み管４の空気が抜け呼水が完了する。
【００３４】
つまり、オーバーフロー装置Ｂを水槽Ａに陥没し、本管１等に水を導入するか、又は本管１の第一蓋２を取外し、この上部開口１００より、ポンプ７を利用して、呼水を確保する方法である。
【００３５】
そして、この例では、第一吸込み管３の接続部３００が設けられる接続部１０２が上部で、また、第二吸込み管４の接続部４００が設けられる接続部１０３が下部であり、水のスムーズな流れと、適量な水の誘引を確保することで、騒音発生が少なくなる特徴がある。また、第一吸込み管３の第一下部開口３０２と、第二吸込み管４の第二下部開口４０４を、水平方向（Ｙ方向）において、位相を変える（上下位置とする）ことで、吸込みに時間差を設け、前記流れの確保と、騒音回避を図る。尚、第二吸込み管４の接続部４００に対して、第二下部開口４０４の位置を下方とし、この上下関係を利用し、この第二下部開口４０４からの水の吸込み量・スピードの調整、又は第一吸込み管３の第一下部開口３０２からの水の吸込み量等の調整と、さらには本管１の水量及び／又はスピード調整に役立ち有効である。
【００３６】
さらに、水位調整管６に汚水吸込み管８を付設した第二実施例を、図２を基に説明すると、この汚水吸込み管８は、水位調整管６の第二蓋６０１を貫通し、かつ昇降可能（昇降自在）に設けられており、その上部開口８００を、水位調整管６の上部開口６００に対して、変更可能とする。例えば、上部開口８００を、水位調整管６の上部開口６００と面一とし、浮上する油分、異物を吸込み可能とすること、水位の調整を確立すること等を意図する。また上部開口８００を、上部開口６００に対して下方とし、前記異物の吸込みを、さらに促進すること、又は水槽Ａの水位を、この水位調整管６の上部開口６００を基準とする。さらに、この汚水吸込み管８は、水位調整管６に沿って、Ｘ方向への移動を可能とする。尚、この汚水吸込み管８の上部開口８００を、水位調整管６の上部開口６００と面一とするか、望ましくは、上部開口８００を、上部開口６００に対して下方とし、汚水吸込み管８（後述する補助管８０２）の下部細孔８０１より、水槽Ａの底部に沈降する糞、砂、異物等の沈降物の吸引を、さらに促進する構造とし、この油分、糞、砂、異物等を、第二吸込み管４を介して、水槽Ａ外に排出させる。また、汚水吸込み管８は、補助管８０２等を利用し、伸縮自在とすることで、例えば、水槽Ａの高さに対応すること、また水位調整管６との対応関係を維持すること、さらに糞、砂、異物等の状況に有効に対応すること等が可能となり、有益である。また、図示しないが、この汚水吸込み管８の位置を固定するために、パッキン、継ぎ手等を採用する。
【００３７】
第三実施例を説明すると、この第三実施例は、第一吸込み管３の垂下管３０１と、第二吸込み管４の垂下管４０３ｄが差込まれ、上蓋１１を備えた中間挾持管１０であり、この上蓋１１は、中間挾持管１０の上部開口１０００を閉塞し、かつこの上蓋１１の開口に、前記垂下管３０１と垂下管４０３ｄが貫通されている。そして、この下部開口１００１のやや上方に一個又は複数個の吸込み開口１２が設けられている。この吸込み開口１２から吸込まれた水が、第一・第二下部開口３０２、４０４から、それぞれ垂下管３０１、４０３ｄに導かれる構造である。尚、下部開口１００１は、第三蓋１４で閉塞されている。そして、この例では、この中間挾持管１０に水位調整管６の絞り部６０４（下部開口６０１に代替する構造）が遊嵌されており、この水位調整管６が、中間挾持管１０に上下動可能に取付けられる。尚、中間挾持管１０の開口１２は、原則として、絞り部６０２の上側にあって、水位調整管６にオーバーフローして導入された水が、開口１２を介して、前記の如く、垂下管３０１、４０３ｄに導かれる構造である。そして、この第一吸込み管３及び第二吸込み管４の第一・第二下部開口３０２、４０４は、中間挾持管１０の第三蓋１４の内底の上方に、上下位置関係に設ける。
【００３８】
尚、この第三実施例では、本管１と、第二吸込み管４の立上管４０３ａを、連結管２０により、囲繞し、この本管１と、第二吸込み管４の立上管４０３ａを連繋する。そして、この連結管２０の空間２０００上部に向って、本管１の排水開口１０４が設けられ、また、この連結管２０の空間２０００下部に向って、第二吸込み管４の排水開口４０５が設けられた構造である。従って、第二吸込み管４の立上管４０３ａを流れた水は、第二吸込み管４の排水開口４０５から、連結管２０の空間２０００を経由して、本管１の排水開口１０４から、この本管１に至り、その後、この本管１の下部開口１０１より、図示しない、予備水槽、排水管等に流れる。その後は、前述の第一実施例に準ずる。図中２１は第二吸込み管４の第三下部開口４０４ａを閉塞する第四蓋２１を示す。また、図中２２は汚水吸込み管で、この汚水吸込み管２２は、第一吸込み管３の垂下管３０１の上端に接続する。
この汚水吸込み管２２と、前述の汚水吸込み管８は同じ機能を図る。例えば、この汚水吸込み管２２は、オーバーフロー停止時の水槽Ａの水位にマッチングするが、前述の汚水吸込み管８は、上部開口８００の水平レベルに落着き、また、この汚水吸込み管２２は、水位調整管６の上部開口６００の水平レベルとなり、水槽Ａの水位には、原則として変化がない。また、この汚水吸込み管２２は、前述の汚水吸込み管８と比べ、水の吸込み量が多くなり有益である。そして、また、この汚水吸込み管２２は、水位調整管６に接続されていないので、Ｘ方向の移動は関係しない。また、水位調整管６とは、関係がなく、かつ高さ調整もない。図中２３はストレーナを示す。
【００３９】
この第三実施例では、第一吸込み管３の接続部３００の近傍と、第二吸込み管４のエルボ４０３ｂ、４０３ｃを水槽Ａの壁Ａ１に架承して使用し、この状態で、第一吸込み管３の垂下管３０１と、第二吸込み管４の垂下管４０３ｄが、中間挾持管１０とともに水中に至り、水位調整管６の上部開口６００が水面に開口する構造である。また、本管１と、立上管４０３ａと、連結管２０が、水槽Ａ外にある。そして、水位調整管６の上部開口６００（切欠き部６０５）をオーバーフローした水は、中間挾持管１０の吸込み開口１２から、第一吸込み管３の第一下部開口３０２を経て、垂下管３０１を経由し、接続部３００より、接続部１０２から本管１内に至り、本管１の下部開口１０１より、図示しない、予備水槽、排水管等に流れる。また、中間挾持管１０の吸込み開口１２から、第二吸込み管４の第二下部開口４０４を経由し、垂下管４０３ｄと、エルボ４０３ｃ・４０３ｂを経由し、立上管４０３ａの排水開口４０５に至り、連結管２０の空間２０００より、本管１の排水開口１０４を経由して、本管１内に至り、本管１の下部開口１０１より、図示しない、予備水槽、排水管等に流れることで、例えば、オーバーフロー式の汚水の排水と、水槽Ａ内の水の循環と、水槽Ａの保水が図れる。そして、水槽Ａの水が、水位調整管６の上部開口６００より下った状態で、オーバーフローが終了する。尚、この第三実施例では、上蓋１１の一個、又は複数個の空気孔１１００より空気を導入し、中間挾持管１０内にある水槽Ａより導かれた水を、中間挾持管１０を経由し、第一吸込み管３から本管１に導く構造である。この第三実施例では、騒音が発生する第一吸込み管３が、略密閉状態で、中間挾持管１０内にあるので、騒音が漏れることがほとんど無い特徴がある。尚、前記第一実施例と、第二実施例では、騒音を無くすために、バルブ９の調整を必要としたが、この第三実施例では、バルブ９の調整が無く、簡便であり、かつ騒音は略皆無であり有益である。
【００４０】
また、第三実施例では、第二の吸込み管４（立上管４０３ａ）の水を、本管１の排水開口１０４に導くために、この本管１の排水開口１０４と第一吸込み管３の第一下部開口３０２の高さを「イ」の位置に、また、水位調整管６から、中間挾持管１０に水の導入を図るために、連結管２０の空間２０００と中間挾持管１０の吸込み開口１２の高さを「ロ」の位置に、そして、第二の吸込み管４に吸込まれた水を、立上管４０３ａに導くために、第二吸込み管４の排水開口４０５と第二吸込み管４の第二下部開口４０４の高さを「ハ」の位置に、それぞれ設置することが、望ましい。
【図面の簡単な説明】
【００４１】
【図１】図１は水位調整管に、第一・第二吸込み管が設けられた第一実施例を示した一部欠截の俯瞰斜視図
【図２】図２は第一実施例に汚水吸込み管を配備した第二実施例を示した一部欠截の俯瞰斜視図
【図３】図３は呼水を供給するポンプの一例を示した俯瞰斜視図
【図４】図４は水位調整管と、中間挾持管に、第一・第二吸込み管が設けられた第三実施例を示した一部欠截の俯瞰斜視図
【符号の説明】
【００４２】
１              本管
１ａ            上部
１ｂ            下部
１００          上部開口
１０１          下部開口
１０２          接続部
１０３          接続部
１０４          排水開口
２              第一蓋
３              第一吸込み管
３００          接続部
３０１          垂下管
３０２          第一下部開口
４              第二吸込み管
４００          接続部
４０１          封水部
４０２          Ｕ字管部
４０３          倒Ｕ字管部
４０３ａ        立上管
４０３ｂ        エルボ
４０３ｃ        エルボ
４０３ｄ        垂下管
４０４          第二下部開口
４０４ａ        第三下部開口
４０５          排水開口
６              水位調整管
６００          上部開口
６０１          下部開口
６０２          部屋
６０３          第二蓋
６０４          絞り部
６０５          切欠き部
７              ポンプ
７００          ポンプ本体
７０１          管
７０２          ホース
７０４          先端アダプター
７０５          先端アダプター
８              汚水吸込み管
８００          上部開口
８０１          下部細孔
８０２          補助管
９              バルブ
１０            中間挾持管
１０００        上部開口
１００１        下部開口
１１            上蓋
１１００        空気孔
１２            吸込み開口
１４            第三蓋
２０            連結管
２１            第四蓋
２０００        空間
２２            汚水吸込み管
２３            ストレーナ
Ａ              水槽
Ａ１            壁
Ｂ              オーバーフロー装置
【図１】
0004344000.tif 000002
【図２】
0004344000.tif 000003
【図３】
0004344000.tif 000004
【図４】
0004344000.tif 000005